(57)【要約】      （修正有）【課題】ゲインをほぼ同一の割合で可変できる増幅回路を提供する。【解決手段】所定のゲインＧａが最大のゲインＧｂを最小のゲインＧｂで除算して算出されるアンプ６０のゲイン可変範囲Ｙで除算されると、その所定のゲインＧａの次に小さいゲインＧａが算出されるように、第一の可変抵抗１０と帰還抵抗２０と第二の可変抵抗４０と帰還抵抗５０とは回路設計されることにより、ゲインＧはほぼ同一の割合で可変できる。【選択図】図１
2010147855.tif 000002
【特許請求の範囲】
【請求項１】
ゲインを可変できる増幅回路において、
抵抗値を可変できる第一可変抵抗と、
第一帰還抵抗と、
第一入力端子を基準電圧端子に接続され、第二入力端子をゲイン可変増幅回路の入力端子に前記第一可変抵抗を介して接続され、出力端子を第二入力端子に前記第一帰還抵抗を介して接続され、前記第一可変抵抗及び前記第一帰還抵抗の抵抗値に基づいた第一ゲインを有する第一アンプと、
Ｒ−２Ｒ抵抗回路を有し、抵抗値を可変できる第二可変抵抗と、
第二帰還抵抗と、
第一入力端子を前記基準電圧端子に接続され、第二入力端子を前記第一アンプの出力端子に前記第二可変抵抗を介して接続され、出力端子を第二入力端子に前記第二帰還抵抗を介して接続され、前記第二可変抵抗及び前記第二帰還抵抗の抵抗値に基づいた第二ゲインを有する第二アンプと、
を備え、
前記第一〜第二可変抵抗及び前記第一〜第二帰還抵抗は、所定の第一ゲインが最大の第二ゲインを最小の第二ゲインで除算して算出される前記第二アンプのゲイン可変範囲で除算されると前記所定の第一ゲインの次に小さい第一ゲインが算出されるよう回路設計されることを特徴とする増幅回路。
【請求項２】
前記第一〜第二可変抵抗及び前記第一〜第二帰還抵抗は、前記所定の第一ゲインに前記最小の第二ゲインを乗算した値が前記所定の第一ゲインの次に小さい第一ゲインに前記最大の第二ゲインを乗算した値と略等しくなるよう回路設計されることを特徴とする請求項１記載の増幅回路。
【請求項３】
前記第一〜第二可変抵抗及び前記第一〜第二帰還抵抗は、前記所定の第一ゲインに前記最小の第二ゲインを乗算した値が前記所定の第一ゲインの次に小さい第一ゲインに前記最大の第二ゲインの次に小さい第二ゲインを乗算した値よりも小さくなるよう回路設計されることを特徴とする請求項１記載の増幅回路。
【請求項４】
前記第一帰還抵抗と並列に設けられる第一容量と、
前記第二帰還抵抗と並列に設けられる第二容量と、
をさらに備えることを特徴とする請求項１記載の増幅回路。
【発明の詳細な説明】
【技術分野】
【０００１】
本発明は、ゲインを可変できる増幅回路に関する。
【背景技術】
【０００２】
図８は、従来のゲインを可変できる増幅回路を示す図である。
【０００３】
入力端子９１の入力電圧はＶｉｎ、可変抵抗９３の抵抗値はＲ９３、帰還抵抗９４の抵抗値はＲ９４であるとすると、アンプ９５の出力端子（出力端子９２）の出力電圧Ｖｏｕｔは
Ｖｏｕｔ＝−（Ｒ９４／Ｒ９３）・Ｖｉｎ・・・（５１）
によって算出される。可変抵抗９３が可変すると、その分、アンプ９５のゲインＧｃも可変する（例えば、特許文献１参照）。
【特許文献１】特開２００８−２２７７１２号公報（図７）
【発明の開示】
【発明が解決しようとする課題】
【０００４】
しかし、従来の技術では、可変抵抗９３が可変する場合、例えば、所定のゲインＧｃが１０になり、その所定のゲインＧｃの次に小さいゲインＧｃが５になり、さらに次に小さいゲインＧｃが３．３になる。つまり、ゲインＧｃが可変する場合、ゲインＧｃは同一の割合で可変できない。
【０００５】
本発明は、上記課題に鑑みてなされ、ゲインをほぼ同一の割合で可変できる増幅回路を提供する。
【課題を解決するための手段】
【０００６】
本発明の増幅回路は上記課題を解決するために、抵抗値を可変できる第一可変抵抗と、第一帰還抵抗と、第一入力端子を基準電圧端子に接続され、第二入力端子を増幅回路の入力端子に前記第一可変抵抗を介して接続され、出力端子を第二入力端子に前記第一帰還抵抗を介して接続され、前記第一可変抵抗及び前記第一帰還抵抗の抵抗値に基づいた第一ゲインを有する第一アンプと、Ｒ−２Ｒ抵抗回路を有し、抵抗値を可変できる第二可変抵抗と、第二帰還抵抗と、第一入力端子を前記基準電圧端子に接続され、第二入力端子を前記第一アンプの出力端子に前記第二可変抵抗を介して接続され、出力端子を第二入力端子に前記第二帰還抵抗を介して接続され、前記第二可変抵抗及び前記第二帰還抵抗の抵抗値に基づいた第二ゲインを有する第二アンプと、を備え、前記第一〜第二可変抵抗及び前記第一〜第二帰還抵抗は、所定の第一ゲインが最大の第二ゲインを最小の第二ゲインで除算して算出される前記第二アンプのゲイン可変範囲で除算されると前記所定の第一ゲインの次に小さい第一ゲインが算出されるよう回路設計されることを特徴とする増幅回路を提供する。
【発明の効果】
【０００７】
本発明では、所定の第一ゲインが最大の第二ゲインを最小の第二ゲインで除算して算出される第二アンプのゲイン可変範囲で除算されると、その所定の第一ゲインの次に小さい第一ゲインが算出されるように、第一〜第二可変抵抗及び第一〜第二帰還抵抗は回路設計されることにより、増幅回路のゲインはほぼ同一の割合で可変できる。
【発明を実施するための最良の形態】
【０００８】
以下、本発明の実施形態を、図面を参照して説明する。
【０００９】
図１に基づいて、本発明のゲインを可変できる増幅回路について説明する。
【００１０】
［要素］本発明の増幅回路は、第一の可変抵抗１０、帰還抵抗２０、アンプ３０、第二の可変抵抗４０、帰還抵抗５０及びアンプ６０を備える。
【００１１】
［要素の接続関係］アンプ３０は、非反転入力端子を基準電圧端子（接地端子）に接続され、反転入力端子を入力端子７０に第一の可変抵抗１０を介して接続され、出力端子を反転入力端子に帰還抵抗２０を介して接続される。アンプ６０は、非反転入力端子を基準電圧端子に接続され、反転入力端子をアンプ３０の出力端子に第二の可変抵抗４０を介して接続され、出力端子を反転入力端子に帰還抵抗５０を介して接続される。また、アンプ６０は、出力端子を出力端子８０に接続される。
【００１２】
［要素の機能］第一の可変抵抗１０及び第二の可変抵抗４０は、抵抗値を可変できる。アンプ３０は、第一の可変抵抗１０及び帰還抵抗２０の抵抗値に基づいたゲインＧａを有する。アンプ６０は、第二の可変抵抗４０及び帰還抵抗５０の抵抗値に基づいたゲインＧｂを有する。
【００１３】
ここで、所定のゲインＧａが最大のゲインＧｂを最小のゲインＧｂで除算して算出されるアンプ６０のゲイン可変範囲Ｙで除算されると、その所定のゲインＧａの次に小さいゲインＧａが算出されるように、第一の可変抵抗１０と帰還抵抗２０と第二の可変抵抗４０と帰還抵抗５０とは回路設計される。また、所定のゲインＧａに最小のゲインＧｂを乗算した値は、その所定のゲインＧａの次に小さいゲインＧａに最大のゲインＧｂを乗算した値と略等しくなるように、第一の可変抵抗１０と帰還抵抗２０と第二の可変抵抗４０と帰還抵抗５０とは回路設計される。
【００１４】
［動作］ここで、入力端子７０の入力電圧はＶｉｎ、第一の可変抵抗１０の抵抗値はＲ１０、帰還抵抗２０の抵抗値はＲ２０、第二の可変抵抗４０の抵抗値はＲ４０、帰還抵抗５０の抵抗値はＲ５０であるとすると、アンプ３０の出力端子の出力電圧Ｖｏｕｔ１は
Ｖｏｕｔ１＝−（Ｒ２０／Ｒ１０）・Ｖｉｎ・・・（１）
によって算出される。また、アンプ６０の出力端子（出力端子８０）の出力電圧Ｖｏｕｔ２は
Ｖｏｕｔ２＝−（Ｒ５０／Ｒ４０）・Ｖｏｕｔ１・・・（２）
によって算出される。よって、出力電圧Ｖｏｕｔ２は
Ｖｏｕｔ２＝（Ｒ２０／Ｒ１０）・（Ｒ５０／Ｒ４０）・Ｖｉｎ・・・（３）
によって算出される。第一の可変抵抗１０が可変すると、その分、アンプ３０のゲインＧａも可変し、増幅回路のゲインＧも可変する。第二の可変抵抗４０が可変すると、その分、アンプ６０のゲインＧｂも可変し、増幅回路のゲインＧも可変する。
【００１５】
図２は、第二の可変抵抗４０の構成を示す回路図である。
【００１６】
［要素］第二の可変抵抗４０は、抵抗４１〜４５及びスイッチ４６〜４８を有する。抵抗４１〜４５及びスイッチ４６〜４８は、Ｒ−２Ｒ抵抗回路を構成する。
【００１７】
［要素の接続関係］スイッチ４６〜４８は、各第一端子を接地端子にそれぞれ接続され、各第二端子をアンプ６０の反転入力端子にそれぞれ接続され、各第三端子を抵抗４１〜４３の一端にそれぞれ接続される。抵抗４４は、抵抗４１の他端と抵抗４２の他端との接続点と、アンプ３０の出力端子（抵抗４３の他端）と、の間に設けられる。抵抗４５は、アンプ６０の反転入力端子とアンプ３０の出力端子との間に設けられる。
【００１８】
［動作］ここで、抵抗４４の抵抗値はＲ４４、抵抗４１〜４３の抵抗値は２・Ｒ４４、抵抗４５の抵抗値はＲ４５であるとする。この時、スイッチ４６〜４７を制御するためのコード２が“００”になり、スイッチ４６〜４８で第一端子と第三端子とが接続すると、アンプ３０の出力端子からアンプ６０の反転入力端子に向かって流れる電流Ｉ２は
Ｉ２＝Ｖｏｕｔ１／Ｒ４５・・・（４）
によって算出される。コード２が“０１”になり、スイッチ４５及びスイッチ４７で第一端子と第三端子とが接続し、スイッチ４６で第一端子と第二端子とが接続すると、電流Ｉ２は
Ｉ２＝Ｖｏｕｔ１／Ｒ４５＋（１／４）・Ｖｏｕｔ１／Ｒ４４・・・（５）
によって算出される。コード２が“１０”になり、スイッチ４５〜４６で第一端子と第三端子とが接続し、スイッチ４７で第一端子と第二端子とが接続すると、電流Ｉ２は
Ｉ２＝Ｖｏｕｔ１／Ｒ４５＋（２／４）・Ｖｏｕｔ１／Ｒ４４・・・（６）
によって算出される。コード２が“１１”になり、スイッチ４５で第一端子と第三端子とが接続し、スイッチ４６〜４７で第一端子と第二端子とが接続すると、電流Ｉ２は
Ｉ２＝Ｖｏｕｔ１／Ｒ４５＋（３／４）・Ｖｏｕｔ１／Ｒ４４・・・（７）
によって算出される。なお、コード２が仮の“１００”になるとすると、電流Ｉ２は
Ｉ２＝Ｖｏｕｔ１／Ｒ４５＋（４／４）・Ｖｏｕｔ１／Ｒ４４・・・（７ａ）
によって算出される。
【００１９】
図３は、第一の可変抵抗１０の構成を示す回路図である。
【００２０】
［要素］第一の可変抵抗１０は、抵抗１１〜１４及びスイッチ１５〜１８を有する。
【００２１】
［要素の接続関係］抵抗１１及びスイッチ１５は、入力端子７０とアンプ３０の反転入力端子との間に設けられる。抵抗１２及びスイッチ１６は、入力端子７０とアンプ３０の反転入力端子との間に設けられる。抵抗１３及びスイッチ１７は、入力端子７０とアンプ３０の反転入力端子との間に設けられる。抵抗１４及びスイッチ１８は、入力端子７０とアンプ３０の反転入力端子との間に設けられる。
【００２２】
［動作］ここで、抵抗１１〜１４の抵抗値はそれぞれＲ１１〜Ｒ１４であるとする。この時、スイッチ１５〜１８を制御するためのコード１が“００”になり、スイッチ１５のみがオンすると、入力端子７０からアンプ３０の反転入力端子に向かって流れる電流Ｉ１は式（８）によって算出される。
Ｉ１＝Ｖｉｎ／Ｒ１１・・・（８）
コード１が“０１”になり、スイッチ１６のみがオンすると、電流Ｉ１は式（９）によって算出される。
Ｉ１＝Ｖｉｎ／Ｒ１２・・・（９）
コード１が“１０”になり、スイッチ１７のみがオンすると、電流Ｉ１は式（１０）によって算出される。
Ｉ１＝Ｖｉｎ／Ｒ１３・・・（１０）
コード１が“１１”になり、スイッチ１８のみがオンすると、電流Ｉ１は式（１１）によって算出される。
Ｉ１＝Ｖｉｎ／Ｒ１４・・・（１１）
次に、アンプ６０のゲインＧｂとアンプ３０のゲインＧａと増幅回路のゲインＧとについて説明する。図４は、第一アンプのゲインを示す図である。図５は、第二アンプのゲインを示す図である。図６は、本発明の増幅回路のゲインを示す図である。
【００２３】
アンプ６０のコード２の値におけるゲインＧｂｎは以下のように算出される。
コード２＝“００”のゲインＧｂ１は、式（２）及び式（４）から算出される。
Ｇｂ＝Ｒ５０・１／Ｒ４５・・・（１２）
コード２＝“０１”のゲインＧｂ２は、式（２）及び式（５）から算出される。
Ｇｂ＝Ｒ５０・[１／Ｒ４５＋（１／４）・１／Ｒ４４]・・・（１３）
コード２＝“１０”のゲインＧｂ３は、式（２）及び式（６）から算出される。
Ｇｂ＝Ｒ５０・[１／Ｒ４５＋（２／４）・１／Ｒ４４]・・・（１４）
コード２＝“１１”のゲインＧｂ４は、式（２）及び式（７）から算出される。
Ｇｂ＝Ｒ５０・[１／Ｒ４５＋（３／４）・１／Ｒ４４]・・・（１５）
仮のコード２＝“１００”のゲインＧｂ５は、式（２）及び式（７ａ）から算出される。
Ｇｂ＝Ｒ５０・[１／Ｒ４５＋（４／４）・１／Ｒ４４]・・・（１５ａ）
例えば、Ｇｂ１＝１０．００、Ｇｂ２＝１０．７５、Ｇｂ３＝１１．５０、Ｇｂ４＝１２．２５、Ｇｂ５＝１３．００とすると、ゲインＧｂは図４に示すものになる。この時、アンプ６０のゲイン可変範囲Ｙは、最大のゲインＧｂ５を最小のゲインＧｂ１で除算して算出されるとし、１３．００／１０．００＝１．３になる。
【００２４】
［アンプ３０のゲインＧａ］
コード１＝“００”のアンプ３０のゲインＧａ１は、式（１）及び式（８）から算出される。
Ｇａ＝Ｒ２０／Ｒ１１・・・（１６）
コード１＝“０１”のゲインＧａ２は、式（１）及び式（９）から算出される。
Ｇａ＝Ｒ２０／Ｒ１２・・・（１７）
コード１＝“１０”のゲインＧａ３は、式（１）及び式（１０）から算出される。
Ｇａ＝Ｒ２０／Ｒ１３・・・（１８）
コード１＝“１１”のゲインＧａ４は、式（１）及び式（１１）から算出される。
Ｇａ＝Ｒ２０／Ｒ１４・・・（１９）
例えば、Ｇａ１＝２／１．３3、Ｇａ２＝２／１．３2、Ｇａ３＝２／１．３1、Ｇａ４＝２／１．３0とすると、ゲインＧａは図５に示すものになる。
【００２５】
ここで、アンプ３０の最大のゲインＧａはゲインＧａ４であり、ゲインＧａ４がアンプ６０のゲイン可変範囲Ｙ（Ｙ＝１．３）で除算されると、ゲインＧａ３が算出される。ゲインＧａ３がアンプ６０のゲイン可変範囲Ｙで除算されると、つまり、ゲインＧａ４がアンプ６０のゲイン可変範囲Ｙ2で除算されると、ゲインＧａ２が算出される。ゲインＧａ２がアンプ６０のゲイン可変範囲Ｙで除算されると、つまり、ゲインＧａ４がアンプ６０のゲイン可変範囲Ｙ3で除算されると、ゲインＧａ１が算出される。つまり、
Ｇｂ４＝Ｇｂ１・Ｙ・・・（２０）
Ｇａ４＝Ｇａ４／Ｙ0＝Ｇａ４・・・（２１）
Ｇａ３＝Ｇａ４／Ｙ1＝Ｇａ４／Ｙ・・・（２２）
Ｇａ２＝Ｇａ４／Ｙ2＝Ｇａ３／Ｙ・・・（２３）
Ｇａ１＝Ｇａ４／Ｙ3＝Ｇａ２／Ｙ・・・（２４）
が成立する。
【００２６】
［ゲイン可変増幅回路のゲインＧ］ここで、ゲイン可変増幅回路のゲインＧは、
Ｇ＝Ｇａ・Ｇｂ・・・（２５）
によって算出される。
【００２７】
コード１＝“００”でコード２＝“００”のゲインＧは、式（１２）及び式（１６）から、
Ｇ＝Ｇａ１・Ｇｂ１・・・（２６）
によって算出される。コード１＝“００”でコード２＝“０１”のゲインＧは、式（１３）及び式（１６）から、
Ｇ＝Ｇａ１・Ｇｂ２・・・（２７）
によって算出される。コード１＝“００”でコード２＝“１０”のゲインＧは、式（１４）及び式（１６）から、
Ｇ＝Ｇａ１・Ｇｂ３・・・（２８）
によって算出される。コード１＝“００”でコード２＝“１１”のゲインＧは、式（１５）及び式（１６）から、
Ｇ＝Ｇａ１・Ｇｂ４・・・（２９）
によって算出される。コード１＝“０１”でコード２＝“００”のゲインＧは、式（１２）及び式（１７）から、
Ｇ＝Ｇａ２・Ｇｂ１・・・（３０）
によって算出される。コード１＝“０１”でコード２＝“０１”のゲインＧは、式（１３）及び式（１７）から、
Ｇ＝Ｇａ２・Ｇｂ２・・・（３１）
によって算出される。コード１＝“０１”でコード２＝“１０”のゲインＧは、式（１４）及び式（１７）から、
Ｇ＝Ｇａ２・Ｇｂ３・・・（３２）
によって算出される。コード１＝“０１”でコード２＝“１１”のゲインＧは、式（１５）及び式（１７）から、
Ｇ＝Ｇａ２・Ｇｂ４・・・（３３）
によって算出される。コード１＝“１０”でコード２＝“００”のゲインＧは、式（１２）及び式（１８）から、
Ｇ＝Ｇａ３・Ｇｂ１・・・（３４）
によって算出される。コード１＝“１０”でコード２＝“０１”のゲインＧは、式（１３）及び式（１８）から、
Ｇ＝Ｇａ３・Ｇｂ２・・・（３５）
によって算出される。コード１＝“１０”でコード２＝“１０”のゲインＧは、式（１４）及び式（１８）から、
Ｇ＝Ｇａ３・Ｇｂ３・・・（３６）
によって算出される。コード１＝“１０”でコード２＝“１１”のゲインＧは、式（１５）及び式（１８）から、
Ｇ＝Ｇａ３・Ｇｂ４・・・（３７）
によって算出される。コード１＝“１１”でコード２＝“００”のゲインＧは、式（１２）及び式（１９）から、
Ｇ＝Ｇａ４・Ｇｂ１・・・（３８）
によって算出される。コード１＝“１１”でコード２＝“０１”のゲインＧは、式（１３）及び式（１９）から、
Ｇ＝Ｇａ４・Ｇｂ２・・・（３９）
によって算出される。コード１＝“１１”でコード２＝“１０”のゲインＧは、式（１４）及び式（１９）から、
Ｇ＝Ｇａ４・Ｇｂ３・・・（４０）
によって算出される。コード１＝“１１”でコード２＝“１１”のゲインＧは、式（１５）及び式（１９）から、
Ｇ＝Ｇａ４・Ｇｂ４・・・（４１）
によって算出される。
【００２８】
例えば、Ｇｂ１＝１０．００、Ｇｂ２＝１０．７５、Ｇｂ３＝１１．５０、Ｇｂ４＝１２．２５、Ｇｂ５＝１３．００、Ｇａ１＝２／１．３3、Ｇａ２＝２／１．３2、Ｇａ３＝２／１．３1、Ｇａ４＝２／１．３0、Ｙ＝１．３すると、ゲインＧは図６に示すものになる。ゲインＧは
Ｇａ４・Ｇｂ４＝２／１．３0×１２．２５≒２４．５０
Ｇａ４・Ｇｂ３＝２／１．３0×１１．５０≒２３．００
Ｇａ４・Ｇｂ２＝２／１．３0×１０．７５≒２１．５０
Ｇａ４・Ｇｂ１＝２／１．３0×１０．００≒２０．００
（Ｇａ３・Ｇｂ５＝２／１．３1×１３．００≒２０．００）
Ｇａ３・Ｇｂ４＝２／１．３1×１２．２５≒１８．８５
Ｇａ３・Ｇｂ３＝２／１．３1×１１．５０≒１７．６９
Ｇａ３・Ｇｂ２＝２／１．３1×１０．７５≒１６．５４
Ｇａ３・Ｇｂ１＝２／１．３1×１０．００≒１５．３８
（Ｇａ２・Ｇｂ５＝２／１．３2×１３．００≒１５．３８）
Ｇａ２・Ｇｂ４＝２／１．３2×１２．２５≒１４．５０
Ｇａ２・Ｇｂ３＝２／１．３2×１１．５０≒１３．６１
Ｇａ２・Ｇｂ２＝２／１．３2×１０．７５≒１２．７２
Ｇａ２・Ｇｂ１＝２／１．３2×１０．００≒１１．８３
（Ｇａ１・Ｇｂ５＝２／１．３3×１３．００≒１１．８３）
Ｇａ１・Ｇｂ４＝２／１．３3×１２．２５≒１１．１５
Ｇａ１・Ｇｂ３＝２／１．３3×１１．５０≒１０．４７
Ｇａ１・Ｇｂ２＝２／１．３3×１０．７５≒０９．７９
Ｇａ１・Ｇｂ１＝２／１．３3×１０．００≒０９．１０
の順番に可変する。この時、所定のゲインＧがその所定のゲインＧの次に小さいゲインＧで除算されると、約１．０６〜約１．０８が算出される。つまり、ゲインＧが可変する場合、ゲインＧは約７％ずつの割合で可変することになる。また、所定のゲインＧａに最小のゲインＧｂを乗算した値（例えば、Ｇａ２・Ｇｂ１）は、その所定のゲインＧａの次に小さいゲインＧａに最大のゲインＧｂを乗算した値（例えば、Ｇａ１・Ｇｂ５）と略等しくなっている。
【００２９】
［効果］このようにすると、所定のゲインＧａが最大のゲインＧｂを最小のゲインＧｂで除算して算出されるアンプ６０のゲイン可変範囲Ｙで除算されると、その所定のゲインＧａの次に小さいゲインＧａが算出されるように、第一の可変抵抗１０と帰還抵抗２０と第二の可変抵抗４０と帰還抵抗５０とは回路設計されることにより、ゲインＧはほぼ同一の割合で可変できる。
【００３０】
［補足］なお、所定のゲインＧａに最小のゲインＧｂを乗算した値（例えば、Ｇａ２・Ｇｂ１）は、その所定のゲインＧａの次に小さいゲインＧａに最大のゲインＧｂの次に小さいゲインＧｂを乗算した値（例えば、Ｇａ１・Ｇｂ４）よりも大きくなっているが、その値（例えば、Ｇａ１・Ｇｂ４）よりも小さくなっても良い。すると、各抵抗の抵抗値の製造ばらつきによって所定のゲインＧａに最小のゲインＧｂを乗算した値（例えば、Ｇａ２・Ｇｂ１）が大きくなる方にばらついても、このばらつきは相殺される。よって、ゲインＧにおいて、指定されなくなるゲインＧが無くなる。
【００３１】
また、図７に示すように、容量２０ａ及び容量５０ａを帰還抵抗２０及び帰還抵抗５０と並列に設けてローパスフィルタを構成した場合においても、ローパスフィルタの時定数に影響することなく、増幅回路のゲインはほぼ同一の割合で可変できる。
【００３２】
また、本実施形態の増幅回路は一例として、コード１及び２は２ビットで構成され、ゲインＧａ及びＧｂは４段階で可変しているが、これに限らない。
【図面の簡単な説明】
【００３３】
【図１】本発明の増幅回路を示す回路図である。
【図２】第一の可変抵抗の構成を示す回路図である。
【図３】第二の可変抵抗の構成を示す回路図である。
【図４】アンプのゲインを示す図である。
【図５】アンプのゲインを示す図である。
【図６】本発明の増幅回路のゲインを示す図である。
【図７】本発明の増幅回路を示す回路図である。
【図８】従来のゲインを可変できる増幅回路を示す図である。
【符号の説明】
【００３４】
１０、４０  可変抵抗
２０、５０  帰還抵抗
３０、６０  アンプ
７０  入力端子
８０  出力端子
【図１】
2010147855.tif 000003
【図２】
2010147855.tif 000004
【図３】
2010147855.tif 000005
【図４】
2010147855.tif 000006
【図５】
2010147855.tif 000007
【図６】
2010147855.tif 000008
【図７】
2010147855.tif 000009
【図８】
2010147855.tif 000010